(57)【要約】【課題】報知用の発光部を容易に視認できるようにする。【解決手段】ブラシレスモータ４と、ブラシレスモータ４を収容して前後方向に延びる本体部２と、本体部２に連結されて下方に延びるグリップ部３と、報知用の発光部６０と、を備え、発光部６０は、ＬＥＤ基板６１と、ＬＥＤ基板６１を覆うレンズ６３とを備え、本体部２を形成する半割ハウジング１ｂの抑えリブ７３とレンズ６３とでＬＥＤ基板６１を挟み込んだ状態で組み付けられて、レンズ部６６は、本体部２の後面から側面にまで設けられている。【選択図】図５
2018094651.tif 000002
【特許請求の範囲】
【請求項１】
モータと、
前記モータを収容して前後方向に延びる本体部と、
前記本体部に連結されて下方に延びるグリップ部と、
報知用の発光部と、を備え、
前記発光部は、前記本体部の後面から少なくとも側面にまで設けられていることを特徴とする電動工具。
【請求項２】
前記発光部は、前記本体部の後面では左右方向に連続して設けられていることを特徴とする請求項１に記載の電動工具。
【請求項３】
前記発光部は、前記本体部の側面では平面視で前記本体部から突出していることを特徴とする請求項１又は２に記載の電動工具。
【請求項４】
前記発光部は、ＬＥＤを有するＬＥＤ基板と、前記ＬＥＤ基板を覆うレンズとを備え、前記本体部を形成するハウジングに、前記ハウジングと前記レンズとで前記ＬＥＤ基板を挟み込んだ状態で組み付けられることを特徴とする請求項１乃至３の何れかに記載の電動工具。
【請求項５】
前記ＬＥＤ基板は、前記レンズに嵌合していることを特徴とする請求項４に記載の電動工具。
【請求項６】
前記本体部の後面に、外部通信用の通信ケーブルの接続口が設けられていることを特徴とする請求項１乃至５の何れかに記載の電動工具。
【請求項７】
前記接続口は、前記発光部の下側に設けられていることを特徴とする請求項６に記載の電動工具。
【請求項８】
前記接続口は、前記本体部の最後面よりも前側で前記最後面が当接する仮想平面と当接しない背面視領域に設けられていることを特徴とする請求項６又は７に記載の電動工具。
【請求項９】
報知用の発光部を備え、
前記発光部は、ＬＥＤを有するＬＥＤ基板と、前記ＬＥＤ基板を覆うレンズとを備え、前記ＬＥＤ基板は、前記レンズに嵌合していることを特徴とする電動工具。
【請求項１０】
モータを収容するハウジングと、
報知用の発光部と、を備え、
前記発光部は、ＬＥＤを有するＬＥＤ基板と、前記ＬＥＤ基板を覆うレンズとを備え、前記ハウジングと前記レンズとで前記ＬＥＤ基板が挟み込まれ、且つ前記ハウジングと前記ＬＥＤ基板と前記レンズとが並んだ状態で前記ハウジングに組み付けられることを特徴とする電動工具。
【請求項１１】
モータと、
前記モータを収容して前後方向に延びる本体部と、
前記本体部に連結されて下方に延びるグリップ部と、を備え、
前記本体部の最後面よりも前側で前記最後面が当接する仮想平面と当接しない背面視領域に、外部通信用の通信ケーブルの接続口が設けられていることを特徴とする電動工具。
【請求項１２】
前記接続口を閉塞するカバーを備え、前記カバーは前記背面視領域に設けられていることを特徴とする請求項１１に記載の電動工具。
【発明の詳細な説明】
【技術分野】
【０００１】
本発明は、スクリュードライバ等の電動工具に関する。
【背景技術】
【０００２】
スクリュードライバ等の電動工具では、ボルト等の所定トルクでの締付完了やエラー発生といった工具状態を作業者に報知するための発光部が設けられているものがある。例えば特許文献１には、正確な角度でねじ込み等を行うために、ねじ込み面に対する発光手段と、反射した光を受光する受光手段と、受光手段で受光したことの有無を報知する報知手段とを備え、報知手段として、本体部の後面にＬＥＤを設けた発明が開示されている。
【先行技術文献】
【特許文献】
【０００３】
【特許文献１】特許第２９１５９９８号公報
【発明の概要】
【発明が解決しようとする課題】
【０００４】
このような電動工具においては、発光部であるＬＥＤが本体部の後面のみにあるため、例えば本体部を傾けた姿勢や下方から本体部を上向きとした姿勢等で作業を行ったような場合、後面が直接視認できない。よって、作業者がいちいち本体部の後面を自分側へ向けたりして発光部を確認する必要があり、作業時間にロスが生じるおそれがあった。
【０００５】
そこで、本発明は、報知用の発光部が容易に視認できる電動工具を提供することを目的としたものである。
【課題を解決するための手段】
【０００６】
上記目的を達成するために、請求項１に記載の発明は、モータと、モータを収容して前後方向に延びる本体部と、本体部に連結されて下方に延びるグリップ部と、報知用の発光部と、を備え、発光部は、本体部の後面から少なくとも側面にまで設けられていることを特徴とする。
請求項２に記載の発明は、請求項１の構成において、発光部は、本体部の後面では左右方向に連続して設けられていることを特徴とする。
請求項３に記載の発明は、請求項１又は２の構成において、発光部は、本体部の側面では平面視で本体部から突出していることを特徴とする。
請求項４に記載の発明は、請求項１乃至３の何れかの構成において、発光部は、ＬＥＤを有するＬＥＤ基板と、ＬＥＤ基板を覆うレンズとを備え、本体部を形成するハウジングに、ハウジングとレンズとでＬＥＤ基板を挟み込んだ状態で組み付けられることを特徴とする。
請求項５に記載の発明は、請求項４の構成において、ＬＥＤ基板は、レンズに嵌合していることを特徴とする。
請求項６に記載の発明は、請求項１乃至５の何れかの構成において、本体部の後面に、外部通信用の通信ケーブルの接続口が設けられていることを特徴とする。
請求項７に記載の発明は、請求項６の構成において、接続口は、発光部の下側に設けられていることを特徴とする。
請求項８に記載の発明は、請求項６又は７の構成において、接続口は、本体部の最後面よりも前側で当該最後面が当接する仮想平面と当接しない背面視領域に設けられていることを特徴とする。
請求項９に記載の発明は、電動工具であって、報知用の発光部を備え、発光部は、ＬＥＤを有するＬＥＤ基板と、ＬＥＤ基板を覆うレンズとを備え、ＬＥＤ基板は、レンズに嵌合していることを特徴とする。
請求項１０に記載の発明は、電動工具であって、モータを収容するハウジングと、報知用の発光部と、を備え、発光部は、ＬＥＤを有するＬＥＤ基板と、ＬＥＤ基板を覆うレンズとを備え、ハウジングとレンズとでＬＥＤ基板が挟み込まれ、且つハウジングとＬＥＤ基板とレンズとが並んだ状態でハウジングに組み付けられることを特徴とする。
請求項１１に記載の発明は、電動工具であって、モータと、モータを収容して前後方向に延びる本体部と、本体部に連結されて下方に延びるグリップ部と、を備え、本体部の最後面よりも前側で最後面が当接する仮想平面と当接しない背面視領域に、外部通信用の通信ケーブルの接続口が設けられていることを特徴とする。
請求項１２に記載の発明は、請求項１１の構成において、接続口を閉塞するカバーを備え、カバーは背面視領域に設けられていることを特徴とする。
【発明の効果】
【０００７】
本発明によれば、報知用の発光部を本体部の後面から側面にまで設けたことで、作業時の本体部の向きにかかわりなく、発光部の発光を容易に視認することができる。
請求項２に記載の発明によれば、上記効果に加えて、発光部を、本体部の後面では左右方向に連続して設けているので、発光面積が大きくなってより視認性が高くなる。
請求項３に記載の発明によれば、上記効果に加えて、発光部は、本体部の側面では平面視で本体部から突出しているので、上面や下面、斜め前方からも容易に視認することができる。
請求項４に記載の発明によれば、上記効果に加えて、発光部は、ＬＥＤ基板と、ＬＥＤ基板を覆うレンズとを備え、本体部を形成するハウジングに、ハウジングとレンズとでＬＥＤ基板を挟み込んだ状態で組み付けられるので、部品点数の少ない合理的な構成で発光部を省スペースで組み付け可能となる。
請求項５に記載の発明によれば、上記効果に加えて、ＬＥＤ基板は、レンズに嵌合しているので、挟み込むＬＥＤ基板を容易に位置決めでき、組み付けが簡単に行える。
請求項６に記載の発明によれば、上記効果に加えて、本体部の後面に、外部通信用の通信ケーブルの接続口が設けられているので、電動工具を地面等に横置きしても接続口や通信ケーブルの端子が直接地面等に接触することがなく、通信ケーブルが外れたり損傷したりするおそれが低減される。
請求項７に記載の発明によれば、上記効果に加えて、接続口は、発光部の下側に設けられているので、デッドスペースを効率よく利用して接続口を配置することができる。
請求項８に記載の発明によれば、上記効果に加えて、接続口は、本体部の最後面よりも前側で当該最後面が当接する仮想平面と当接しない背面視領域に設けられているので、電動工具を落下させたり物にぶつけたりした際の損傷のおそれを低減することができる。
【図面の簡単な説明】
【０００８】
【図１】スクリュードライバの後方からの斜視図である。
【図２】スクリュードライバの側面図である。
【図３】スクリュードライバの背面図である。
【図４】スクリュードライバの平面図である。
【図５】スクリュードライバの中央縦断面図である。
【図６】本体部後端の拡大図である。
【図７】（Ａ）は発光部の分解斜視図、（Ｂ）はＬＥＤ基板の後方からの斜視図である。
【図８】カバーを開いた状態のスクリュードライバの部分背面図である。
【発明を実施するための形態】
【０００９】
以下、本発明の実施の形態を図面に基づいて説明する。
図１は、電動工具の一例であるスクリュードライバ１の後方からの斜視図、図２は側面図、図３は背面図、図４は平面図、図５は中央縦断面図である。
このスクリュードライバ１は、後側のブラシレスモータ４及び前側の出力部５を収容して前後方向に延びる筒状の本体部２と、その本体部２に連結されて下方へ延びるグリップ部３とからなるＴ字状で、ハウジングは、本体部２とグリップ部３とをそれぞれ半分ずつ一体形成した左右の半割ハウジング１ａ，１ｂを、ネジ６，６・・によって組み付けて形成されている。グリップ部３の下端には、電源となるバッテリーパック８が着脱可能な装着部７が形成されて、グリップ部３の上側根元部分には、前方にトリガ１０を突出させたトリガスイッチ９が収容されている。トリガスイッチ９の上方には、ブラシレスモータ４の正逆切替ボタン１１が設けられている。
【００１０】
また、装着部７は、グリップ部３の下端から前方へ延びて形成され、装着部７内には、装着されたバッテリーパック８と電気的に接続される端子台１２が設けられる。端子台１２の上側には、コンデンサやマイコン、スイッチング素子等が搭載された制御回路基板１４をケース１５に収容してなるコントローラ１３が設けられている。グリップ部３内には、制御回路基板１４と、トリガスイッチ９及びブラシレスモータ４等の電材部品との間を接続する図示しないリード線等が配線されている。
【００１１】
ブラシレスモータ４は、ステータ１６とロータ１７とを有するインナーロータ型で、ステータ１６は、固定子鉄心１８と、固定子鉄心１８の前後に設けられる前絶縁部材１９及び後絶縁部材２０と、前絶縁部材１９及び後絶縁部材２０を介して固定子鉄心１８に巻回される複数のコイル２１，２１・・と、を有する。また、ロータ１７は、軸心に位置する回転軸２２と、回転軸２２の周囲に配置される筒状の回転子鉄心２３と、回転子鉄心２３の外側に配置され、筒状で周方向に極性を交互に変えた永久磁石２４，２４・・と、これらの前側において放射状に配置された複数のセンサ用永久磁石２５，２５・・と、を有する。前絶縁部材１９の前端には、センサ用永久磁石２５の位置を検出して回転検出信号を出力する図示しない回転検出素子を搭載したセンサ回路基板２６が前方からネジ固定されている。回転検出素子の信号線２７は、センサ回路基板２６の下側から下方に引き出されて制御回路基板１４へ配線される。三相を形成するコイル２１の各相のマグネットワイヤは、ヒュージング端子を介して前絶縁部材１９の下側にネジ止めされる端子ユニット２８に電気的に接続され、信号線２７の後方で端子ユニット２８から下方に引き出される電源線が制御回路基板１４へ配線される。
【００１２】
本体部２の内部には、ブラシレスモータ４の前側を仕切る前壁３０と、後側を仕切る後リブ３１とが設けられている。回転軸２２は、前壁３０に受けられる筒状のベアリングホルダ３２に保持された軸受３３と、後リブ３１の中央の凹部３４に保持された軸受３５とによって回転可能に支持されている。回転軸２２における軸受３５の前方には、モータ冷却用の遠心ファン３６が固着されて、本体部２におけるステータ１６の径方向外側部位には、複数の吸気口３７，３７・・が形成され、遠心ファン３６の径方向外側部位には、複数の排気口３８，３８・・が形成されている。
回転軸２２は、ベアリングホルダ３２を貫通して前方へ突出し、前端にはピニオン３９が固着されて、このピニオン３９が、出力部５の後部でインターナルギヤ４０内に設けた遊星歯車４１，４１と噛合している。
【００１３】
出力部５は、遊星歯車４１，４１を支持するキャリア４２と、キャリア４２の前方に設けられ、キャリア４２と一体回転する後カム４４及び、カムボール４５を介して回転方向で係合する前カム４６を有するクラッチ４３と、前後カム４４，４６の中心を貫通してカム溝４８に設けたボール４９を介して前カム４６と結合されるスピンドル４７と、本体部２内の前方でスピンドル４７が貫通するバネ受け５０と前カム４６との間に設けられるコイルバネ５１と、を含んでなる。スピンドル４７は、本体部２の前端に設けられた軸受５２に支持されて前方へ突出し、前端には、ドライバビットを装着する操作スリーブ５３が設けられている。
【００１４】
よって、回転軸２２から遊星歯車４１で減速されるキャリア４２の回転に伴い、後カム４４が回転すると、カムボール４５を介して前カム４６が回転し、ボール４９を介してスピンドル４７が回転する。そして、スピンドル４７への負荷トルクが、コイルバネ５１で決定される前カム４６への押圧力（設定トルク）を越えると、前カム４６が、カム溝４８を転動するボール４９を介して前進し、カムボール４５との係合を解除して空転する（クラッチ４３の作動）。
【００１５】
クラッチ４３の下方には、センサ板５４が、前後移動可能且つコイルバネ５５によって後退位置へ付勢して設けられており、スピンドル４７側へ突出した係合片５６を前カム４６の前方に位置させている。よって、センサ板５４は、前カム４６が前進して係合片５６に当接することで、前カム４６と一体に前進することになる。センサ板５４の後方には、制御回路基板１４と図示しないリード線で接続される検出スイッチ５７が設けられて、クラッチ４３が作動してセンサ板５４が前進した際に、センサ板５４の離間の検出信号を制御回路基板１４へ送信するようになっている。センサ板５４の前方には、ＬＥＤを内蔵した照明用ライト５８が前向きに設けられている。
【００１６】
そして、本体部２の後面には、発光部６０が設けられている。この発光部６０は、図６，７に示すように、後面に３つの報知用のライト６２，６２・・を搭載したＬＥＤ基板６１と、そのＬＥＤ基板６１の後方に組み付けられるレンズ６３とからなる。ＬＥＤ基板６１は、正面視が左右横長の矩形状で、ライト６２は、左右方向の中央に１つ、その左右両側に等間隔で１つずつ配置されて、各ライト６２内には、緑色と赤色との２つのＬＥＤがそれぞれ備えられている。
レンズ６３は、透光性を有する白色の樹脂製で、ＬＥＤ基板６１が嵌合する嵌合凹部６５を前面に備えて正面視が左右横長の矩形状となる前板部６４と、その前板部６４の後面で上下方向の中央部位から後方に突出して左右方向へ連設されるレンズ部６６とからなる。前板部６４の嵌合凹部６５からレンズ部６６内には、嵌合凹部６５と連続して後方へ窪み、３つのライト６２，６２・・が納まる左右方向の収容凹部６７が形成されている。
【００１７】
また、レンズ部６６は、上下寸法が前板部６４の上下寸法より小さく、左右寸法が前板部６４の左右寸法より大きくなる横長の棒状となっている。レンズ部６６の左右両端は、前板部６４の左右の側面の外側まで先細り状に突出し、前端面が前板部６４の前面と同一面上に位置する突出部６８，６８となっている。６９，６９・・は、ＬＥＤ基板６１から下向きに引き出されるリード線で、各ライト６２へ電気的に接続されている。
【００１８】
この発光部６０は、ＬＥＤ基板６１をレンズ６３の嵌合凹部６５に前方から嵌合させた状態で、後リブ３１の後方で本体部２の後面に設けられた保持部７０に保持される。この保持部７０は、左右方向に形成され、レンズ６３の前板部６４とＬＥＤ基板６１とを含む矩形部分が嵌合する形状で本体部２の内面に凹設される前側凹部７１と、その前側凹部７１に後側で連通して左右方向に形成され、レンズ部６６が嵌合する横長形状で本体部２の後面から左右の側面に掛けて開口する後側孔部７２とからなる。後側孔部７２の左右両端は、前側凹部７１と連通している。
保持部７０は、前側凹部７１と後側孔部７２とが左右に分割された格好で左右の半割ハウジング１ａ，１ｂにそれぞれ形成される。但し、右側の半割ハウジング１ｂにおいて、前側凹部７１の前端上側には、下向きに抑えリブ７３が形成され、前側凹部７１の前端下側には、上向きに抑えリブ（図示略）が形成されており、この抑えリブ７３及び上向きの抑えリブの後方で前側凹部７１に、ＬＥＤ基板６１を嵌合させた前板部６４が納まるようになっている。
【００１９】
よって、発光部６０を本体部２へ組み付ける際、右側の半割ハウジング１ｂを下にして、ＬＥＤ基板６１を組み付けたレンズ６３の右半分を、抑えリブ７３の後側で前側凹部７１に上方から差し込むようにすれば、発光部６０は、ＬＥＤ基板６１がレンズ６３に嵌合した状態で半割ハウジング１ｂに保持される。この状態で左側の半割ハウジング１ａを組み付ければ、ＬＥＤ基板６１及びレンズ６３の左半分も半割ハウジング１ａに保持される。よって、発光部６０は、ＬＥＤ基板６１が抑えリブ７３及び上向きの抑えリブと、レンズ６３とによって挟持され、且つ抑えリブ７３及び上向きの抑えリブと、ＬＥＤ基板６１と、レンズ６３とが並んだ状態で保持部７０内に保持される。なお、左側の半割ハウジング１ａは、右側の半割ハウジング１ｂと同様の抑えリブを有する。ＬＥＤ基板６１からのリード線６９は、半割ハウジング１ａの上向き抑えリブと半割ハウジング１ｂの上向き抑えリブとの間から後リブ３１と本体部２の後内面との間を通してグリップ部３内へ容易に引き出すことができる。
【００２０】
なお、レンズ６３にＬＥＤ基板６１が嵌合した状態で、レンズ６３とＬＥＤ基板６１との間に、上下方向又は左右方向に０．４ｍｍ以下程度の隙間があってもよい。また、抑えリブ７３とレンズ６３との間にＬＥＤ基板６１を挟んだ状態で、抑えリブ７３とＬＥＤ基板６１との間、またはＬＥＤ基板６１とレンズ６３との間にそれぞれ０．７ｍｍ以下程度の隙間があってもよい。抑えリブ７３とレンズ６３の前端面との間に０．４ｍｍ以下程度の隙間があってもよい。また、レンズ６３と左右の半割ハウジング１ａ，１ｂとの間にも同様の隙間があってもよい。
このような隙間によって、手による組み付けが容易になる。
【００２１】
こうして発光部６０を組み付けた状態で、レンズ６３のレンズ部６６は、後側孔部７２に嵌合して、本体部２の後面及び左右の側面に露出することになる。この状態でレンズ部６６の後面は、本体部２の後面２ａと略同一平面上に位置する。一方、側面では、レンズ部６６の左右寸法が本体部２の後面の左右寸法より大きく形成されているので、図４に示すように、発光部６０の組み付け状態でレンズ部６６の突出部６８，６８は、平面視及び底面視で本体部２から左右外側へ突出することになる。
【００２２】
さらに、本体部２の後部下側には、発光部６０が組み付けられる後面２ａよりも前側に位置する窪み部７５が形成されて、この窪み部７５内に、ＵＳＢ基板７６が収容されている。このＵＳＢ基板７６は、左右の半割ハウジング１ａ，１ｂによって左右方向に保持されて、上面に、接続口としてのＵＳＢポート（ここではマイクロＵＳＢポート）７７を後向きに搭載したものである。窪み部７５の後面には、ＵＳＢポート７７を露出させる開口７８が形成されている。また、窪み部７５の後面には、開口７８を閉塞するカバー７９が設けられている。このカバー７９は、下端を左右方向のピン８０によって窪み部７５の下面で回転可能に支持され、上端には、窪み部７５の上側に形成した係止凹部８１に弾性係止する係止片８２を備えている。よって、係止片８２の係止を解除してカバー７９を後側へ回転させれば、図８に示すように開口７８が開放されてＵＳＢポート７７が露出する。
このＵＳＢポート７７及びカバー７９は、図６に示す本体部２の最後面となる後面２ａに当接する仮想平面Ｐよりも前側で、仮想平面Ｐには当接しない背面視領域に位置している。この仮想平面は、後面２ａとグリップ部３とに当接する仮想平面Ｑであってもよい（図５参照）。この場合もＵＳＢポート７７及びカバー７９は仮想平面Ｑよりも前側で、仮想平面Ｑには当接しない背面視領域に位置している。
【００２３】
ＬＥＤ基板６１及びＵＳＢ基板７６は、何れも図示しないリード線を介して制御回路基板１４に接続される。制御回路基板１４は、検出スイッチ５７の検出信号に基づいて設定トルクでの締付の適／不適を判定して、後述するように発光部６０において判定結果を報知する。
また、制御回路基板１４は、使用時間等を累計することでメンテナンスの時期を管理し、メンテナンスの時期に到達した際には、発光部６０において、ＬＥＤ基板６１の３つのライト６２，６２・・で緑色及び赤色の２つのＬＥＤを同時に点滅させる。すると、各ライト６２は黄色で点滅する。
さらに、ＵＳＢポート７７を使用して外部のパーソナルコンピュータ等に接続して、制御回路基板１４と通信し、ブラシレスモータ４の回転数やメンテナンスの時期等を設定することができる。このとき制御回路基板１４は、設定のスタンバイ状態で各ライト６２を黄色で点滅させ、設定可能状態では各ライト６２を緑色で点滅させる。
【００２４】
以上の如く構成されたスクリュードライバ１においては、スピンドル４７に装着したドライバビットを締め付け対象のネジに押し付け、この状態でトリガ１０を押し込み操作してトリガスイッチ９をＯＮさせると、バッテリーパック８から電源が供給されてブラシレスモータ４が駆動する。すなわち、制御回路基板１４のマイコンが、センサ回路基板２６の回転検出素子から出力されるロータ１７のセンサ用永久磁石２５の位置を示す回転検出信号を得てロータ１７の回転状態を取得し、取得した回転状態に応じて各スイッチング素子のＯＮ／ＯＦＦを制御し、ステータ１６の各コイル２１に対し順番に電流を流すことでロータ１７を回転させる。但し、マイコンにはトリガ１０の操作量（押し込み量）が信号として伝達されて、操作量に応じてロータ１７の回転が制御されるようになっている。
【００２５】
こうしてロータ１７が回転すると、回転軸２２が回転して遊星歯車４１を介してキャリア４２を減速回転させ、さらにクラッチ４３を介してスピンドル４７を回転させる。よって、ドライバビットによるネジ締めが可能となる。ネジ締めが進んでコイルバネ５１による設定トルクに達すると、前カム４６が前進して前述のようにクラッチ４３において後カム４４からの回転伝達が遮断され、スピンドル４７の回転が終了する。
このとき、制御回路基板１４のマイコンは、トリガ１０を押し込み操作している間に検出スイッチ５７でクラッチ４３の作動によるセンサ板５４の前進を検出した場合、ネジ締めが「適」であると判定して、発光部６０においてＬＥＤ基板６１の各ライト６２を緑色で発光させる。一方、検出スイッチ５７がセンサ板５４の前進を検出しなかった場合（例えばセンサ板５４の前進を検出する前にトリガ１０の押し込み操作を止めたような場合）、ネジ締めが「不適」であると判定して、ＬＥＤ基板６１の各ライト６２を赤色で発光させる。
【００２６】
すると、レンズ部６６では、３つのライト６２，６２・・の発光によって全体が緑色又は赤色に発光するため、本体部２の後面と突出部６８，６８がある左右側面とに亘って広角に光が表れる。よって、作業者は、後面からは勿論、本体部２を傾けた姿勢や下方から本体部２を上向きとした姿勢等で後面が視認できない場合でも、左右の側面に突出部６８，６８が突出するレンズ部６６により、上方や下方、側方や斜め前方からでも発光を視認でき、判定結果を容易に確認することができる。これは、メンテナンスの時期等を発光部６０を利用して報知する場合も同様で、広角に発光するレンズ部６６により、容易に視認することができる。
【００２７】
なお、回転軸２２と共に遠心ファン３６が回転すると、吸気口３７から吸引された空気がブラシレスモータ４を冷却して排気口３８から排出される。
また、トリガスイッチ９のＯＮと共に制御回路基板１４から通電されて照明用ライト５８が点灯する。よって、ドライバビットの前方が照射されて暗い場所でも作業性は維持できる。
そして、ＵＳＢポート７７を利用する場合は、前述のようにカバー７９を開いて露出したＵＳＢポート７７に通信ケーブルを接続すれば、外部と通信可能となる。このとき、ＵＳＢポート７７は本体部２の背面視領域で後面２ａよりも前側に位置する窪み部７５に配置されているので、そのまま平面上に横置き等された場合でも、ＵＳＢポート７７が平面に接触したり通信ケーブルが邪魔になったりすることがない。また、スクリュードライバ１を落下等しても奥まった位置にあるＵＳＢポート７７や通信ケーブルの端子、カバー７９の損傷のおそれも低減される。
【００２８】
このように、上記形態のスクリュードライバ１によれば、報知用の発光部６０を、本体部２の後面から側面にまで設けたことで、作業時の本体部２の向きにかかわりなく、発光部６０の発光を容易に視認することができる。
特にここでは、発光部６０を、本体部２の後面では左右方向に連続して設けているので、発光面積が大きくなってより視認性が高くなる。
また、発光部６０は、本体部２の側面では平面視で本体部２から突出しているので、上面や下面、斜め前方からも容易に視認することができる。
【００２９】
さらに、発光部６０は、ＬＥＤ基板６１と、ＬＥＤ基板６１を覆うレンズ６３とを備え、本体部２を形成する半割ハウジング１ａ，１ｂに、半割ハウジング１ｂ側の抑えリブ７３とレンズ６３とでＬＥＤ基板６１を挟み込んだ状態で組み付けられるので、部品点数の少ない合理的な構成で発光部６０を省スペースで組み付け可能となる。
特に、ＬＥＤ基板６１は、レンズ６３に嵌合しているので、挟み込むＬＥＤ基板６１を容易に位置決めでき、組み付けが簡単に行える。
【００３０】
一方、本体部２の後面に、外部通信用の通信ケーブルのＵＳＢポート７７が設けられているので、スクリュードライバ１を地面等に横置きしてもＵＳＢポート７７や通信ケーブルの端子が直接地面等に接触することがなく、通信ケーブルが外れたり損傷したりするおそれが低減される。
また、ＵＳＢポート７７は、発光部６０の下側に設けられているので、デッドスペースを効率よく利用してＵＳＢポート７７を配置することができる。
さらに、ＵＳＢポート７７は、本体部２の後面２ａ（最後面）よりも前側で後面２ａが当接する仮想平面Ｐと当接しない背面視領域に形成された窪み部７５に設けられているので、スクリュードライバ１を落下させたり物にぶつけたりした際の損傷のおそれを低減することができる。
【００３１】
なお、発光部は、上記形態に限らず、レンズのレンズ部の上下幅を大きくしたり、突出部の上下幅を後面側よりも大きくしたり、後面側でも平面視で後方へ突出させたり等、適宜変更できる。また、本体部の両側面でなく左右何れか一方にのみ突出部を設けてもよいし、後面ではレンズ部を左右方向に連続して設けず、左右に分離して設けてもよい。
さらに、本体部の側面に加えて、上面や下面にまで発光部を設けることもできる。ＬＥＤ基板の形状やＬＥＤの数や色、配置も適宜変更可能である。勿論報知対象としてはネジ締めの適／不適やメンテナンス時期の報知等に限らず、バッテリーパックの容量低下の報知等にも利用できる。
ＵＳＢポートも、本体部の下側に限らず、仮想平面と当接しない背面視領域であれば、上側や横側に窪み部を設けて配置することも可能である。
【００３２】
その他、本発明はスクリュードライバに限らず、インパクトドライバやドライバドリル等の他の電動工具にも適用可能であるし、バッテリーパックを電源とするＤＣ工具に限らず、商用電源を用いるＡＣ工具であっても適用可能である。モータもブラシレス以外に整流子モータ等の他のモータであっても差し支えない。
【符号の説明】
【００３３】
１・・スクリュードライバ、２・・本体部、３・・グリップ部、４・・ブラシレスモータ、５・・出力部、７・・装着部、８・・バッテリーパック、９・・トリガスイッチ、１０・・トリガ、１３・・コントローラ、１４・・制御回路基板、２２・・回転軸、４３・・クラッチ、４４・・後カム、４６・・前カム、４７・・スピンドル、５１・・コイルバネ、５４・・センサ板、５７・・検出スイッチ、６０・・発光部、６１・・ＬＥＤ基板、６２・・ライト、６３・・レンズ、６４・・前板部、６５・・、嵌合凹部、６６・・レンズ部、６８・・突出部、６９・・リード線、７０・・保持部、７１・・前側凹部、７２・・後側孔部、７３・・抑えリブ、７５・・窪み部、７６・・ＵＳＢ基板、７７・・ＵＳＢポート。
【図１】
2018094651.tif 000003
【図２】
2018094651.tif 000004
【図３】
2018094651.tif 000005
【図４】
2018094651.tif 000006
【図５】
2018094651.tif 000007
【図６】
2018094651.tif 000008
【図７】
2018094651.tif 000009
【図８】
2018094651.tif 000010